(57)【要約】【課題】櫛の運びが容易となり、力むことなく軽快に操作でき、しかも、いずれの箇所の刈り込みにも毛束を必要において過不足無く掬い上げ得るヘアカット用櫛を提供する。【解決手段】柄の先端に歯が列設された横櫛としての歯列部を有するヘアカット用櫛において、柄と歯列部とをそれぞれ相反する端に行くにつれて幅広く形成し、柄の先端部の上下両縁に、幅で摘むための指掛口を切欠き状に形成した。【効果】櫛の運びが円滑且つ容易となり、力むことなく軽快に操作できるので、疲れることなく作業でき、カットの仕上げもしなやかなにして自然さが醸し出されるように良くなり、しかも、いずれの箇所の刈り込みにも毛束を必要において過不足無く掬い上げ得るため、見栄え良く髪が整うだけでなく作業性も良好となる。【選択図】　　図１
2004135716.tif 000002
【特許請求の範囲】
【請求項１】
柄の先端に歯が列設された横櫛としての歯列部を有するヘアカット用櫛において、柄と歯列部とをそれぞれ相反する端に行くにつれて幅広く形成し、柄の先端部の上下両縁に、幅で摘むための指掛口を切欠き状に形成したことを特徴とするヘアカット用櫛。
【請求項２】
背部を先端に行くにつれて薄肉に形成し、各歯について、端部に先細において厚肉となる横方向の膨出部を形成し、背部と膨出部との間の中間部が湾曲状に薄肉になっているとを特徴とする請求項１記載のヘアカット用櫛。
【請求項３】
歯と歯との基端部間が幅広い湾曲した袋空間となるように、各歯の端部に先細において張り出る歯列方向の膨出部を形成したことを特徴とする請求項１または２記載のヘアカット用櫛。
【発明の詳細な説明】
【０００１】
【発明の属する技術分野】
この発明は、主として理髪店が客の髪を刈り整えるために使用するヘアカット用櫛に関する。
【０００２】
【従来の技術】
整髪においては、長くなった髪をヘアカット用櫛で解きほぐし整えながら歯列の間で掬い、掬い取った毛束を鋏でカットする操作が繰り返される。したがって、横に長い解かし櫛が使用され、これには持ち手の有るものと無いものとがある。
【０００３】
従来のヘアカット用櫛は、持ち手のあるものは長方形であるか若しくは先幅狭であり、また、持ち手の無いものは先幅狭くなっており、いずれも全長において背は直線であった。また、歯の荒いものと密なものとがあることはもちろん、両者を半分ずつにした引き分け櫛もあった。さらに、歯は櫛の長手方向に直角とは限らなく、歯に角度の付いたものもあった。
【０００４】
【発明が解決しようとする課題】
ヘアカットの際に、右手に鋏とともに櫛を持つときには（図５参照）、櫛は手首を中心とする激しく巧みな反転運動（円弧運動矢印Ｐ）が要求されるが、従来のヘアカット用櫛は、先幅狭または同幅で先端部が軽いために、反転運動に慣性の力が加わらなく、軽いけれども髪を平均して掬い上げる力に乏しかった。つまり、先端部では髪が短く掬い上げられることから、それを防止するために却って力を要し、これが手首の疲れとなるという問題があった。
【０００５】
しかも、反転運動のために長手方向の先端に向けて遠心力が働く関係で、手から抜けないように、遠心力に抗するために力むような持ち方となるので、これによっても疲れやすかった。しかも、このような力む持ち方であると、櫛の運びが不自然となる結果、それが整髪の仕上げにも微妙に、例えば仕上げが何となく固くなるというように影響するという問題もあった。
【０００６】
また、刈り上げにおいて、左手に柄を持つときには（図６参照）、柄の先端部を親指と人差し指で摘み、櫛をほぼ平行位置に上下（矢印Ｑ）することになるが、このときに、滑り落ちないように強く摘む結果、これも力みとなって櫛の運びが不自然となるという問題があった。
【０００７】
しかも、櫛の運びに均等性が得られないために、サイドの刈り上げばかりでなく、トップ、フロント、耳元の刈り込み等においても、必要な髪の掬い上げに過不足が生じやすかった。
【０００８】
この発明は、上記のような実情に鑑みて、櫛の運びが容易となり、力むことなく軽快に操作でき、しかも、いずれの箇所の刈り込みにも毛束を必要において過不足無く掬い上げ得るヘアカット用櫛を提供することを目的とした。
【０００９】
【課題を解決するための手段】
上記の目的を達成するために、この発明は、柄の先端に歯が列設された横櫛としての歯列部を有するヘアカット用櫛において、柄と歯列部とをそれぞれ相反する端に行くにつれて幅広く形成し、柄の先端部の上下両縁に、幅で摘むための指掛口を切欠き状に形成したことを特徴とするヘアカット用櫛を提供するものである。
【００１０】
【作用】
上記の構成によれば、柄が基端方向に幅広いために手に持っても抜けがたく、特に、左手持ちの場合であると、親指と人差し指を指掛口に掛け、軽く持ちながらでも、櫛の運行を自由自在になすことができる。また、歯列部においては、幅広い先端部で髪を掬い上げやすいためにカットする毛束を整えやすく、カットする髪を過不足無く取り上げうる。
【００１１】
【発明の実施の形態】
この発明においては、柄１と歯列部２とを相反する端に行くにつれて幅広に形成し、柄１の先端部に指掛口３，４を設けたことに特徴があるものであって、歯７の並び方については同じ間隔である形態の他に、並び中途において間隔が疎密に変わる引き分け櫛である形態もある。その場合でも、歯７の疎密は様々となり、例えば、基端部が中荒で先端部が荒目であるときもあり（図１参照）、その逆である場合もある。また、一方向へ歯７の間隔を順次細くまたは荒く形成しても良い。さらに、歯７の角度については櫛の長手方向に対して直角を原則とするが、例えば、５°〜７°に引く方向に掛かる角度が付いた形態を取るときもある（図７）。
【００１２】
ヘアカット用櫛Ｋの厚みについては、全体的に同じ程度であっても良いが、背部９を先端に行くにつれて薄肉に形成すると（請求項２）、しなやかさがあり軽快な運びとなり髪を掬い上げやすい。
【００１３】
また、歯７の形状についても特に限定するものではないが、請求項２に記載するように、歯先を細い状態において筆先状に膨出して形成し、背部９と膨出部１１との間の中間部を狭くなるようアール状に順次薄肉に形成すると、歯７においてもしなやかさが加わるので、櫛の自在な運行がさらにアップし、操作性が良くなる。
【００１４】
また、請求項３に記載するように、歯７と歯７との間に基端部で幅広い袋空間１９ができるように、各歯７の先端に歯列方向の膨出部１２を形成すると、櫛の通りが良くなり毛束１０を捕捉しやすい。なお、背部９に１ｃｍ間隔に印をつけておくこともある。
【００１５】
【発明の効果】
以上説明したように、この発明のヘアカット用櫛によれば、櫛の運びが円滑且つ容易となり、力むことなく軽快に操作できるので、疲れることなく作業でき、カットの仕上げもしなやかなにして自然さが醸し出されるように良くなり、しかも、いずれの箇所の刈り込みにも毛束を必要において過不足無く掬い上げ得るため、見栄え良く髪が整うだけでなく作業性も良好となるという優れた効果がある。
【００１６】
【実施例】
次に、この発明の実施例を図面に基づいて説明する。
【００１７】
図１ないし図６は、一実施例を示したもので、そのヘアカット用櫛Ｋは、柄１の先端に歯列部２が直列に形成されたものであるが、それぞれ相反する端に行くにつれて幅広く形成され（図１）、そのため柄１の先端が最も狭くなり、そこにアールに湾曲した切欠の指掛口３，４が上下両縁に形成される。柄１と歯列部２とにおけるこのような幅の開拡については、二等辺三角形の２辺と同様に、背部と腹部の両方の縁が幅中心線に対して同角度となるものである。なお、柄１の基端の両隅５，５および歯列部２の先端の両隅６，６もアールとなっている。
【００１８】
また、全体において背部９が先端に行くにつれて幅狭く形成される（図２）。したがって、背部９のみの強度で持つ歯列部２においては先端に行くにつれて撓みやすくしなやかとなる。そして、柄１は背部９から腹部１０に行くにつれて幅狭くなっている（図３）。しかし、全ての歯７，７，・・は、ほぼ同じような断面形状となっている（図４）。
【００１９】
歯７は、歯列部２の先端に行くにつれてそれが広くなる幅に応じて長く形成され、間隔については、基端部（Ｘの範囲）においては細め（中荒）に、それよりも先端（Ｙの範囲）においては荒目に形成される。つまり、引き分け櫛として形成される。
【００２０】
歯列部２における各歯７の形状については、端部が先細において厚肉となる横方向の膨出部１１として形成され（図４）、背部９と膨出部１１との間の中間部１４がアール状に湾曲して細く括れに形成される。これによって歯７にしなやかさが付与される。
【００２１】
図５は、右手１５に鋏Ｈと共にヘアカット用櫛Ｋを持ってバックを刈り上げている状態を示したもので、櫛Ｋで掬い取った毛束１０は、左手１６の人差し指と中指とで挟んで鋏Ｈでカットされる。櫛Ｋの動きについては（矢印Ｐ、二点鎖線参照）、手首を中心とする円弧に櫛Ｋの運びがなされるが、慣性が付きやすいために、円滑に往復運動させて髪を軽く掬い上げることができる。また、自然な体位を取りやすく、合理的に時計回りに（矢印Ｒ）体位を持っていくことがなしやすくなる（最近ではこの方向の回りが良いとされる）。
【００２２】
図６は、左手１６にヘアカット用櫛Ｋを柄１で持ち、右手１５に鋏Ｈを持ってサイドを刈り上げている状態を示したもので、左手１６においては、親指を背部９の指掛口４に、人差し指を腹部１０の指掛口３に添えるように掛けることにより、力みなく軽く持って上下される（矢印Ｑ，二点鎖線参照）。
【００２３】
図７は、他の実施例を示したもので、そのヘアカット用櫛Ｋは、幅中心を通る線に対して約５°程度において歯７に角度が付けられる。また、先端部には先細において歯列方向の膨出部１２が形成され、膨出部１２と背部９との間に湾曲面１７，１７を形成することにより、歯７と歯７との間に袋空間１９が設けられる。この袋空間１９に毛が納まるために、毛の通りが良く、また、刈り取るべき毛束１０を把捉しやすい。
【図面の簡単な説明】
【図１】この発明のヘアカット用櫛を示す側面図である。
【図２】図１のＢ−Ｂ線矢視の断面図である。
【図３】図１のＡ−Ａ線矢視の拡大断面図である。
【図４】図１のＣ−Ｃ線矢視の拡大断面図である。
【図５】ヘアカット用櫛の使用例を示す斜視図である。
【図６】別の使用例を示す斜視図である。
【図７】他の実施例を示すヘアカット用櫛の一部縦断面図である。
【符号の説明】
Ｋ　ヘアカット用櫛
１　柄
２　歯列部
３，４　指掛口
９　背部
１１　横方向の歯列部
１２　歯列方向の膨出部
１４　中間部
１７　湾曲面
１９　袋空間
【図１】
2004135716.tif 000003
【図２】
2004135716.tif 000004
【図３】
2004135716.tif 000005
【図４】
2004135716.tif 000006
【図５】
2004135716.tif 000007
【図６】
2004135716.tif 000008
【図７】
2004135716.tif 000009